(57)【要約】  補聴器が開示される。補聴器は、電気アセンブリを備える。電気アセンブリは、第１の基板表面および第２の基板表面を有するプリント回路基板を備え、プリント回路基板は、前記第１の基板表面上の第１のパッド領域において第１のパッドを有し、第１のパッド領域は、第１の基板法線を有する。電気アセンブリは、フレキシブルプリント回路基板を備え、フレキシブルプリント回路基板は、フレキシブルプリント回路基板の第１のフレックスフィルム表面上の第１の端子領域において第１の端子を有するアンテナを含み、第１の端子領域は、第１の端子法線を有する。電気アセンブリは、第１のパッドと第１の端子とを接続する第１の導電性材料を備え、第１の端子法線と第１の基板法線とは、３０度から１５０度の範囲の第１の角度を成す。さらに、補聴器用の電気アセンブリを製造する方法が開示される。
2019504536.tif 000002
【特許請求の範囲】
【請求項１】
電気アセンブリを備える補聴器であって、
前記電気アセンブリは、
第１の基板表面および第２の基板表面を有し、前記第１の基板表面上の第１のパッド領域において第１のパッドを有するプリント回路基板であって、前記第１のパッド領域は、第１の基板法線を有する、前記プリント回路基板と、
フレキシブルプリント回路基板であって、前記フレキシブルプリント回路基板の第１のフレックスフィルム表面上の第１の端子領域において第１の端子を有するアンテナを含み、前記第１の端子領域は、第１の端子法線を有する、前記フレキシブルプリント回路基板と、
前記第１のパッドと前記第１の端子とを接続する第１の導電性材料と、を備え、
前記第１の端子法線と前記第１の基板法線とは、３０度から１５０度の範囲の第１の角度を成す、補聴器。
【請求項２】
前記電気アセンブリは、前記第１の基板表面または前記第２の基板表面上に設けられる電気部品を備える、請求項１に記載の補聴器。
【請求項３】
前記第１の角度は、８０度から１００度の範囲にある、請求項１または２に記載の補聴器。
【請求項４】
前記プリント回路基板は、前記プリント回路基板の第１の縁部に第１の凹部を有し、
前記第１の凹部は、前記第１の端子の少なくとも一部を収容する、請求項１から３のいずれか一項に記載の補聴器。
【請求項５】
前記プリント回路基板は、縁部を含む縁を有し、
前記第１の導電性材料は、前記第１のフレックスフィルム表面の少なくとも一部を前記プリント回路基板の前記縁部に接続する、請求項１から４のいずれか一項に記載の補聴器。
【請求項６】
前記プリント回路基板は、前記第１の基板表面または前記第２の基板表面上の第２のパッド領域において第２のパッドを有し、
前記第２のパッド領域は、第２の基板法線を有し、
前記フレキシブルプリント回路基板は、前記フレキシブルプリント回路基板の前記第１のフレックスフィルム表面または第２のフレックスフィルム表面上の第２の端子領域において第２の端子を有し、
前記第２の端子領域は、第２の端子法線を有し、
前記電気アセンブリは、前記第２のパッドと前記第２の端子とを接続する第２の導電性材料を備え、
前記第２の端子法線と前記第２の基板法線とは、３０度から１５０度の範囲の第２の角度を成す、請求項１から５のいずれか一項に記載の補聴器。
【請求項７】
前記プリント回路基板は、前記プリント回路基板の第２の縁部に第２の凹部を有し、
前記第２の凹部は、前記第２の端子の少なくとも一部を収容する、請求項６に記載の補聴器。
【請求項８】
前記プリント回路基板は、前記第１の基板表面または前記第２の基板表面上の第３のパッド領域において第３のパッドを有し、
前記第３のパッド領域は、第３の基板法線を有し、
前記フレキシブルプリント回路基板は、前記第１のフレックスフィルム表面または前記第２のフレックスフィルム表面上の第３の端子領域において第３の端子を有し、
前記第３の端子領域は、第３の端子法線を有し、
前記電気アセンブリは、前記第３のパッドと前記第３の端子とを接続する第３の導電性材料を備え、
前記第３の端子法線と前記第３の基板法線とは、３０度から１５０度の範囲の第３の角度を成す、請求項６または７に記載の補聴器。
【請求項９】
前記プリント回路基板は、前記プリント回路基板の第３の縁部に第３の凹部を有し、
前記第３の凹部は、前記第３の端子の少なくとも一部を収容する、請求項８に記載の補聴器。
【請求項１０】
補聴器用の電気アセンブリを製造する方法であって、
前記電気アセンブリは、プリント回路基板と、フレキシブルプリント回路基板と、を備え、
前記プリント回路基板は、
第１の基板表面および第２の基板表面を有し、
前記第１の基板表面上の第１のパッド領域において第１のパッドを有し、
前記第１のパッド領域は、第１の基板法線を有し、
前記フレキシブルプリント回路基板は、
第１のフレックスフィルム表面および第２のフレックスフィルム表面を有し、
前記第１のフレックスフィルム表面上の第１の端子領域において第１の端子を有するアンテナを含み、
前記第１の端子領域は、第１の端子法線を有し、
前記方法は、
前記第１の端子法線と前記第１の基板法線とが、３０度から１５０度の範囲の第１の角度を成すように、前記プリント回路基板と前記フレキシブルプリント回路基板とを配置するステップと、
前記第１のパッドと前記第１の端子とを第１の導電性材料によって接続するステップと、
を備える、方法。
【発明の詳細な説明】
【技術分野】
【０００１】
本開示は、アンテナを備える補聴器に関し、特にフレキシブル基板上に形成されたアンテナを備える補聴器に関する。さらに、本開示は、補聴器用の電気アセンブリを製造する方法に関する。
【背景技術】
【０００２】
聴覚装置用の無線技術の発展、聴覚装置の小型化、低製造コスト化への絶え間ない試みにより、聴覚装置において１つ以上のアンテナを内蔵するフレキシブル基板が使用されるようになった。
【発明の概要】
【発明が解決しようとする課題】
【０００３】
聴覚装置の電気アセンブリを小型化することが求められている。
【課題を解決するための手段】
【０００４】
本明細書は電気アセンブリを備える補聴器を開示する。電気アセンブリは、第１の基板表面および第２の基板表面を有するプリント回路基板を備え、プリント回路基板は、第１の基板表面上の第１のパッド領域において第１のパッドを有し、第１のパッド領域は、第１の基板法線を有する。電気アセンブリは、フレキシブルプリント回路基板を備え、フレキシブルプリント回路基板は、フレキシブルプリント回路基板の第１のフレックスフィルム表面上の第１の端子領域において第１の端子を有する、例えば、第１のアンテナと表されるアンテナを含み、第１の端子領域は、第１の端子法線を有する。電気アセンブリは、第１のパッドと第１の端子とを接続する第１の導電性材料を備え、第１の端子法線と第１の基板法線とは、３０度から１５０度の範囲の第１の角度を成す。
【０００５】
本明細書は、さらに、補聴器用の電気アセンブリを製造する方法を開示する。電気アセンブリは、プリント回路基板と、フレキシブルプリント回路基板と、を備え、プリント回路基板は、第１の基板表面および第２の基板表面を有し、第１の基板表面上の第１のパッド領域において第１のパッドを有し、第１のパッド領域は、第１の基板法線を有する。フレキシブルプリント回路基板は、第１のフレックスフィルム表面および第２のフレックスフィルム表面を有し、第１のフレックスフィルム表面上の第１の端子領域において第１の端子を有する、例えば、第１のアンテナと表されるアンテナを含み、第１の端子領域は、第１の端子法線を有する。方法は、第１の端子法線と第１の基板法線とが、３０度から１５０度の範囲の第１の角度を成すように、プリント回路基板とフレキシブルプリント回路基板とを配置するステップと、第１のパッドと第１の端子とを第１の導電性材料によって接続するステップと、を備える。
【０００６】
本明細書に開示される補聴器および方法は、聴覚装置の電気アセンブリの設計の柔軟性の向上を提供する。具体的には、プリント回路基板のより簡潔な配線および／または小型化が実現できる。
【０００７】
上述の特徴および利点と、他の特徴および利点は、添付の図面を参照しつつ、以下の例示の実施形態の詳細な記載によって当業者には容易に明らかになるだろう。
【図面の簡単な説明】
【０００８】
【図１】電気アセンブリの上面図を示す。
【図２】例示の電気アセンブリの断面図を示す。
【図３】電気アセンブリの詳細を示す図である。
【図４】電気アセンブリの詳細を示す図である。
【図５】電気アセンブリの上面図を示す。
【図６】例示の電気アセンブリの断面図を示す。
【図７】補聴器の斜視図を示す。
【図８】例示のフレキシブルプリント回路基板を示す。
【図９】例示のフレキシブルプリント回路基板を示す。
【発明を実施するための形態】
【０００９】
図面を参照しつつ、本明細書で以下に種々の実施形態を記載する。全体を通して、同じ参照番号は同じ構成要素を指し示す。したがって、同じ構成要素は、各図面の説明に関して詳細には説明しない。また、図面は実施形態の説明を容易にすることを意図するものに過ぎないことに留意すべきである。図面は、特許請求の範囲に記載された発明の包括的な説明としても、または特許請求の範囲に記載された発明の技術的範囲に対する制限としても意図されていない。加えて、図示した実施形態は、示される全ての態様または利点を有する必要はない。特定の実施形態とともに記載される態様または利点は必ずしも、その実施形態に限定されず、図示されていない、または明示的に説明されていないとしても、任意の他の実施形態で実施可能である。全体として、同一の部分または対応する部分には、同じ参照番号が使用される。
【００１０】
補聴器は、電気アセンブリを備える。補聴器は、耳かけ（ＢＴＥ）補聴器であってもよい。例えば、ＢＴＥ補聴器における電気アセンブリは、典型的には、１つ以上のシェル部が搭載されたフレーム構造により支持される。
【００１１】
電気アセンブリは、第１の基板表面および第２の基板表面を有するプリント回路基板を備える。第２の基板表面は、第１の基板表面と平行であってもよい。プリント回路基板は、第１の基板表面上の第１のパッド領域において第１のパッドを含む１つ以上のパッドを有し、第１のパッド領域は、第１の基板法線を有する。１つ以上のパッドは、第１の基板表面および／または第２の基板表面上の第２のパッド領域において第２のパッドを含んでもよい。第２のパッドは、プリント回路基板の接地面に接続されてもよい。第２のパッド領域は、第２の基板法線を有する。第１の基板法線と第２の基板法線とは平行であってもよい。第１の基板法線と第２の基板法線とは、４５度未満または１３５度から２２５度の範囲の角度を成してもよい。
【００１２】
１つ以上のパッドは、第１の基板表面および／または第２の基板表面上の第３のパッド領域において第３のパッドを含んでもよい。第３のパッド領域は、第３の基板法線を有する。第１の基板法線と第３の基板法線とは平行であってもよい。第１の基板法線と第３の基板法線とは、４５度未満または１３５度から２２５度の範囲の角度を成してもよい。
【００１３】
電気アセンブリは、フレキシブル基板とも表されるフレキシブルプリント回路基板を備える。フレキシブルプリント回路基板の厚さは、５μｍから１，０００μｍの範囲であってもよい。フレキシブルプリント回路基板はシートであってもよい。例示の電気アセンブリにおいて、フレキシブルプリント回路基板の厚さは、１２μｍから６００μｍの範囲、例えば、５０μｍ、１００μｍ、２００μｍ、３００μｍ、４００μｍ、５００μｍ、またはこれらの間の任意の範囲内である。フレキシブルプリント回路基板は、第１のフレックスフィルム表面および第２のフレックスフィルム表面を有する。フレキシブルプリント回路基板は、フレキシブルプリント回路基板の第１のフレックスフィルム表面上の第１の端子領域において第１の端子を有するアンテナ（第１のアンテナ）を含む１つ以上のアンテナを備え、第１の端子領域は、第１の端子法線を有する。アンテナ（第１のアンテナ）は、フレキシブルプリント回路基板の第１のフレックスフィルム表面および／または第２のフレックスフィルム表面上の第２の端子領域において第２の端子を有し、第２の端子領域は、第２の端子法線を有する。第１の端子領域は、フレキシブルプリント回路基板の第１のタブ内に少なくとも部分的に配置されてもよい。第２の端子領域は、フレキシブルプリント回路基板の第２のタブ内に少なくとも部分的に配置されてもよい。
【００１４】
フレキシブルプリント回路基板は、フレキシブルプリント回路基板の第１のフレックスフィルム表面または第２のフレックスフィルム表面上の第２の端子領域において第１の端子を有する第２のアンテナを備えてもよく、第２の端子領域は、第２の端子法線を有する。
【００１５】
電気アセンブリは、プリント回路基板のパッドとフレキシブルプリント回路基板のアンテナの端子とを接続する導電性材料を備える。導電性材料は、はんだ合金等のはんだ材料であってもよく、例えば、亜鉛、錫、銀、銅、鉛の内の１つ以上を含む。
【００１６】
例えば、電気アセンブリは、第１のパッドと第１の端子とを接続する第１の導電性材料を備えてもよい。第１の端子法線と第１の基板法線とは、３０度から１５０度の範囲の第１の角度を成してもよい。第１の端子法線および第１の基板法線によって形成される第１の角度は、４５度から１３５度の範囲にあってもよい。１つ以上の例示の電気アセンブリにおいて、第１の端子法線および第１の基板法線によって形成される第１の角度は、８０度から１００度の範囲にあってもよい。したがって、パッドに必要な表面積が低減できるため、最終的に配線のプリント回路基板の簡潔化および／または小型化が実現できる。
【００１７】
電気アセンブリは、第２のパッドと第２の端子とを接続する第２の導電性材料を備えてもよい。第２の端子法線と第２の基板法線とは、３０度から１５０度の範囲の第２の角度を成してもよい。第２の端子法線および第２の基板法線によって形成される第２の角度は、４５度から１３５度の範囲にあってもよい。１つ以上の例示の電気アセンブリにおいて、第２の端子法線および第２の基板法線によって形成される第２の角度は、８０度から１００度範囲にあってもよい。したがって、パッドに必要な表面積が低減できるため、最終的に配線のプリント回路基板の簡潔化および／または小型化が実現できる。
【００１８】
電気アセンブリは、第１の電気部品および／または第２の電気部品等の１つ以上の電気部品を備えてもよい。１つ以上の電気部品は、それぞれ第１の基板表面または第２の基板表面上に設けられてもよい。
【００１９】
第１の電気部品は、例えば、バラン素子またはその他（アンテナ）整合要素／回路を介して、第１のパッドに接続される無線送受信機であってもよい。無線送受信機は、２．４ＧＨｚ通信用に構成されてもよい。電気アセンブリは、バラン素子等のアンテナ整合要素を備えてもよい。プリント回路基板は、第１のパッドと第１の電気部品（無線送受信機）の第１の端子との間、または、第１のパッドとアンテナ整合要素との間の電気的接続を形成するための第１の導体を備えてもよい。プリント回路基板は、第２のパッドと第１の電気部品（無線送受信機）の第２の端子との間、または、第２のパッドとアンテナ整合要素との間の電気的接続を形成するための第２の導体を備えてもよい。
【００２０】
電気アセンブリは、例えば、補聴器プロセッサのような処理部である第２の電気部品を備えてもよい。
【００２１】
電気アセンブリは、マイクロフォンのような第３の電気部品を備えてもよい。
【００２２】
プリント回路基板は縁を有し、プリント回路基板は、当該縁に１つ以上の凹部を有してもよい。プリント回路基板は、プリント回路基板の第１の縁部に第１の凹部を有してもよい。第１の凹部は、第１の端子の少なくとも一部を収容してもよい。第１の端子の一部、即ち、フレキシブルプリント回路基板の一部を第１の凹部内に配置することで、例えばシェル部またはその他補聴器構成要素からのフレキシブルプリント回路基板への機械的応力が低減または抑制される。
【００２３】
プリント回路基板は、プリント回路基板の第２の縁部に第２の凹部を有してもよい。第２の凹部は、第２の端子の少なくとも一部を収容してもよい。第２の端子の一部、即ち、フレキシブルプリント回路基板の一部を第２の凹部内に配置することで、例えばシェル部またはその他補聴器構成要素からのフレキシブルプリント回路基板への機械的応力が低減または抑制される。
【００２４】
フレキシブルプリント回路基板の部品をプリント回路基板の凹部内に配置することで、製造エラーの可能性を低減し得る。例えば、補聴器の製造中に電気アセンブリが破損してしまう可能性を低減し得る。
【００２５】
第１の凹部および／または第２の凹部等の凹部は、最大深度が約１ｍｍ等、少なくとも０．５ｍｍであってもよい。第１の凹部および／または第２の凹部等の凹部は、幅が２ｍｍから８ｍｍの範囲等、少なくとも１．０ｍｍであってもよい。
【００２６】
第１の導電性材料は、第１のフレックスフィルム表面の少なくとも一部をプリント回路基板の縁部、例えば、第１の縁部に接続してもよい。導電性材料を縁部に接続することで、プリント回路基板とフレキシブルプリント回路基板との間の機械的接続の強度が増す。
【００２７】
フレキシブルプリント回路基板は、第１のフレックスフィルム表面または第２のフレックスフィルム表面上の第３の端子領域に、例えば、第１のアンテナまたは第２のアンテナの第３の端子を有してもよく、第３の端子領域は、第３の端子法線を有する。電気アセンブリは、第３のパッドと第３の端子とを接続する第３の導電性材料を備えてもよい。第３の端子法線と第３の基板法線とは、３０度から１５０度の範囲の第３の角度を成してもよい。フレキシブルプリント基板上の複数の端子により、より複雑なアンテナ種類および／またはアンテナ特性設定が可能となる。プリント回路基板は、プリント回路基板の第３の縁部に第３の凹部を有してもよい。第３の凹部は、第３の端子の少なくとも一部を収容してもよい。
【００２８】
図１は、補聴器の例示の電気アセンブリ２の概略図である。電気アセンブリ２は、縁６と、第１の基板表面８と、（図１では見えないが）第２の基板表面と、を有するプリント回路基板４を備える。プリント回路基板４は、第１の基板表面８上の第１のパッド領域において第１のパッド１２を有する。第１のパッド領域は、第１の基板法線を有する。電気アセンブリ２は、第１の基板表面８上に設けられる第１の電気部品１６を備える。他の例示の補聴器では、第１の電気部品１６は第２の基板表面上に設けられてもよい。図１における第１の電気部品１６は、無線送受信機であって、例えばバラン素子（図示省略）のような第１の導体を介して、第１のパッド１２に電気的に接続される。電気アセンブリ２は、ユーザの聴覚損失を補うように構成された補聴器プロセッサの形態をとる、第２の電気部品１７を備える。第２の電気部品（補聴器プロセッサ）１７は第１の基板表面８上に設けられ、プリント回路基板において１つ以上の導体（図示省略）を介して、第１の電気部品１６（無線送受信機）に接続される。電気アセンブリ２は、任意で、マイクロフォンまたはマイクロフォンアセンブリの形態をとる第３の電気部品１７Ａを備える。第３の電気部品（マイクロフォン）１７Ａは第１の基板表面８上に設けられ、プリント回路基板４、４Ａにおいて１つ以上の導体（図示省略）を介して第２の電気部品１７（補聴器プロセッサ）に接続される。
【００２９】
電気アセンブリ２は、フレキシブルプリント回路基板１８を有する。フレキシブルプリント回路基板の第１のフレックスフィルム表面上の第１の端子領域において、第１の端子を有するアンテナが設けられる。第１の端子領域は、第１の端子法線を有する。電気アセンブリ２は、第１のパッド１２と第１の端子とを接続する第１の導電性材料３０を備える。第１の端子法線と第１の基板法線とは、９０度±５度の第１の角度を成す。プリント回路基板４、４Ａは、プリント回路基板の第１の縁部に第１の凹部３１を有する。第１の凹部３１は、フレキシブルプリント回路基板１８の第１のタブ３３に設けられた第１の端子の少なくとも一部を収容する。
【００３０】
図２は、図１の電気アセンブリの点線Ａに沿った断面図である。フレキシブルプリント回路基板１８は、フレキシブルプリント回路基板１８の第１のフレックスフィルム表面２０上の第１の端子領域において第１の端子２６を有するアンテナ２４を備える。第１の端子領域は、第１の端子法線３２を有する。第１の導電性材料３０は、第１の端子法線３２と第１の基板法線１４とが９０度±５度である第１の角度α１を成すように、第１のパッド１２と第１の端子２６とを接続する。
【００３１】
図３は、図２の電気アセンブリ２の詳細な図を示す。第１のパッド１２は、第１の基板表面８上に延在する。プリント回路基板４は、第１のパッド１２と、プリント回路基板４上に設けられた、例えば、第１の電気部品１６のような電気部品の第１の端子に接続可能なパッドと、を接続する第１の導体３４を備える。
【００３２】
図４は、電気アセンブリ２Ａの例示の断面図を示す。第１のパッド１２は、第１の基板表面８およびプリント回路基板の縁６上に延在する。縁上に第１のパッドが延在することで、第１の基板表面８上の第１のパッドに要する面積を小さくし得るので、プリント回路基板４Ａを小型化できる。プリント回路基板４Ａは、第１のパッド１２と、プリント回路基板４上に設けられた、例えば、第１の電気部品１６のような電気部品の第１の端子に接続可能なパッドと、を接続する第１の導体３４を備える。
【００３３】
図５は、補聴器の例示の電気アセンブリ１０２の概略図である。電気アセンブリ１０２は、縁６と、第１の基板表面８と、（図５では見えないが）第２の基板表面と、を有するプリント回路基板４Ｂを備える。プリント回路基板４Ｂは、第１の基板表面８上の第１のパッド領域において第１のパッド１２を有する。第１のパッド領域は、第１の基板法線を有する。電気アセンブリ１０２は、第１の基板表面８上に設けられる第１の電気部品１６を備える。他の例示の補聴器では、第１の電気部品１６は、第２の基板表面上に設けられてもよい。図５における第１の電気部品１６は、無線送受信機であって、例えばバラン素子（図示省略）のような第１の導体を介して、第１のパッド１２に電気的に接続される。電気アセンブリ１０２は、ユーザの聴覚損失を補うように構成された補聴器プロセッサの形態をとる、第２の電気部品１７を備える。第２の電気部品（補聴器プロセッサ）１７は第１の基板表面８上に設けられ、プリント回路基板４Ｂにおいて１つ以上の導体（図示省略）を介して、第１の電気部品１６（無線送受信機）に接続される。電気アセンブリ１０２は、任意で、マイクロフォンまたはマイクロフォンアセンブリの形態をとる第３の電気部品１７Ａを備える。第３の電気部品（マイクロフォン）１７Ａは第１の基板表面８上に設けられ、プリント回路基板４Ｂにおいて１つ以上の導体（図示省略）を介して、第２の電気部品１７（補聴器プロセッサ）に接続される。
【００３４】
電気アセンブリ１０２は、フレキシブルプリント回路基板１８を有する。フレキシブルプリント回路基板の第１のフレックスフィルム表面上の第１の端子領域において第１の端子を有するアンテナが設けられる。第１の端子領域は、第１の端子法線を有する。アンテナはさらに、フレキシブルプリント回路基板の第１のフレックスフィルム表面上の第２の端子領域において第２の端子を有する。第２の端子領域は、第２の端子法線を有する。電気アセンブリ１０２は、第１のパッド１２と第１の端子とを接続する第１の導電性材料３０を備える。第１の端子法線と第１の基板法線とは、９０度±５度の第１の角度を成す。プリント回路基板４Ｂは、プリント回路基板４Ｂの第１の縁部に第１の凹部３１を有する。第１の凹部３１は、フレキシブルプリント回路基板１８の第１のタブ３３に設けられた第１の端子の少なくとも一部を収容する。
【００３５】
プリント回路基板４Ｂは、第１の基板表面８上の第２のパッド領域において第２のパッド５０を有する。第２のパッド領域は、第２の基板法線を有する。電気アセンブリ１０２は、第２のパッド５０とアンテナの第２の端子とを接続する第２の導電性材料５２を備える。他の例示の電気アセンブリでは、フレキシブルプリント回路基板は、第１のアンテナと第２のアンテナとを備え、第２のパッドは、第２のアンテナの第１の端子に接続される。第２の端子法線と第２の基板法線とは、３０度から１５０度の範囲の第２の角度を成す。プリント回路基板４Ｂは、プリント回路基板４Ｂの第２の縁部に第２の凹部５４を有する。第２の凹部５４は、フレキシブルプリント回路基板の第２のタブ５６に設けられた第２の端子の少なくとも一部を収容する。第１の電気部品１６は、例えば、バラン素子（図示省略）のような第２の導体を介して、第２のパッド５０に電気的に接続される。
【００３６】
図６は、図５の電気アセンブリの点線Ａに沿った断面図である。フレキシブルプリント回路基板１８は、フレキシブルプリント回路基板１８の第１のフレックスフィルム表面２０上の第１の端子領域において第１の端子２６を有するアンテナ２４を備える。第１の端子領域は、第１の端子法線３２を有する。第１の導電性材料３０は、第１の端子法線３２と第１の基板法線１４とが９０度±５度である第１の角度α１を成すように、第１のパッド１２と第１の端子２６とを接続する。アンテナ２４は、フレキシブルプリント回路基板１８の第１のフレックスフィルム表面２０上の第２の端子領域において第２の端子５８を有する。第２の端子領域は、第２の端子法線６４を有する。第２の導電性材料５２は、第２の端子法線６４と第２の基板法線６２とが９０度±５度である第２の角度α２を成すように、第２のパッド５０と第２の端子５８とを接続する。
【００３７】
図７は、例示の補聴器１を示す。図示の補聴器１は、本明細書に記載の電気アセンブリを収容するハウジング１００を備える。
【００３８】
図８は、例示のフレキシブルプリント回路基板１８を示す。フレキシブルプリント回路基板１８は、第１のフレックスフィルム表面２０と、第２のフレックスフィルム表面（図示省略）と、を備える。補聴器の組み立ての際に、補聴器ハウジング内に収まるようにフレキシブルプリント回路基板１８が折りたたまれる。フレキシブルプリント回路基板１８は、フレキシブルプリント回路基板１８の第１のタブ３３に設けられた第１の端子領域２８内に第１の端子２６を有するアンテナ２４を備える。第１のタブ３３は、少なくとも部分的に、プリント回路基板内における第１の凹部に収容されるように構成される。アンテナ２４は、フレキシブルプリント回路基板１８の第２のタブ５６に設けられた第２の端子領域６０内に第２の端子５８を備える。第２のタブ５６は、少なくとも部分的にプリント回路基板の第２の凹部内に収容されるように構成される。フレキシブルプリント回路基板１８は、厚さ約５００μｍのシートである。
【００３９】
図９は、例示のフレキシブルプリント回路基板１８Ａを示す。フレキシブルプリント回路基板１８Ａは、電気アセンブリ１０２内のフレキシブルプリント回路基板１８として実現されてもよい。補聴器の組み立ての際に、補聴器ハウジング内に収まるようにフレキシブルプリント回路基板１８Ａが折りたたまれる。フレキシブルプリント回路基板１８Ａは、第１のフレックスフィルム表面２０と、第２のフレックスフィルム表面（図示省略）と、を備える。フレキシブルプリント回路基板１８Ａは、フレキシブルプリント回路基板１８Ａの第１のタブ３３に設けられた第１の端子領域２８内に第１の端子２６を有する第１のアンテナ２４を備える。第１のタブ３３は、少なくとも部分的に、プリント回路基板内における第１の凹部に収容されるように構成される。フレキシブルプリント回路基板１８Ａは、フレキシブルプリント回路基板１８Ａの第２のタブ５６に設けられた第２の端子領域６０における第１の端子６８を有する第２のアンテナ６６を備える。第２のタブ５６は、少なくとも部分的にプリント回路基板の第２の凹部内に収容されるように構成される。フレキシブルプリント回路基板１８Ａは、厚さ約５００μｍのシートである。
【００４０】
特定の特徴を示し、記載してきたが、これらの特徴は、特許請求の範囲に記載された発明を限定することを意図していないことが理解され、特許請求の範囲に記載された発明の趣旨及び範囲から逸脱することなく種々の変更及び改変が行われてもよいことが当業者に明らかになるだろう。したがって、明細書及び図面は、限定するものではなく、例示としてみなされるべきである。特許請求の範囲に記載された発明は、全ての代替例、改変及び均等物を包含することを意図している。
【符号の説明】
【００４１】
１  補聴器
２、２Ａ、１０２  電気アセンブリ
４、４Ａ、４Ｂ  プリント回路基板
６  縁
８  第１の基板表面
１０  第２の基板表面
１２  第１のパッド
１４  第１の基板法線
１６  第１の電気部品
１７  第２の電気部品
１７Ａ  第３の電気部品
１８  フレキシブルプリント回路基板
２０  第１のフレックスフィルム表面
２２  第２のフレックスフィルム表面
２４  （第１の）アンテナ
２６  第１の端子
２８  第１の端子領域
３０  第１の導電性材料
３１  第１の凹部
３２  第１の端子法線
３３  フレキシブルプリント回路基板の第１のタブ
３４  第１の導体
５０  第２のパッド
５２  第２の導電性材料
５４  第２の凹部
５６  フレキシブルプリント回路基板の第２のタブ
５８  第２の端子
６０  第２の端子領域
６２  第２の基板法線
６４  第２の端子法線
６６  第２のアンテナ
６８  第２のアンテナの第１の端子
α１  第１の角度
α２  第２の角度
【図１】
2019504536.tif 000003
【図２】
2019504536.tif 000004
【図３】
2019504536.tif 000005
【図４】
2019504536.tif 000006
【図５】
2019504536.tif 000007
【図６】
2019504536.tif 000008
【図７】
2019504536.tif 000009
【図８】
2019504536.tif 000010
【図９】
2019504536.tif 000011
【手続補正書】
【提出日】平成30年8月1日(2018.8.1)
【手続補正１】
【補正対象書類名】明細書
【補正対象項目名】００４０
【補正方法】変更
【補正の内容】
【００４０】
特定の特徴を示し、記載してきたが、これらの特徴は、特許請求の範囲に記載された発明を限定することを意図していないことが理解され、特許請求の範囲に記載された発明の趣旨及び範囲から逸脱することなく種々の変更及び改変が行われてもよいことが当業者に明らかになるだろう。したがって、明細書及び図面は、限定するものではなく、例示としてみなされるべきである。特許請求の範囲に記載された発明は、全ての代替例、改変及び均等物を包含することを意図している。以下の項目は、国際出願時の特許請求の範囲に記載の要素である。
［項目１］
電気アセンブリを備える補聴器であって、
前記電気アセンブリは、
第１の基板表面および第２の基板表面を有し、前記第１の基板表面上の第１のパッド領域において第１のパッドを有するプリント回路基板であって、前記第１のパッド領域は、第１の基板法線を有する、前記プリント回路基板と、
フレキシブルプリント回路基板であって、前記フレキシブルプリント回路基板の第１のフレックスフィルム表面上の第１の端子領域において第１の端子を有するアンテナを含み、前記第１の端子領域は、第１の端子法線を有する、前記フレキシブルプリント回路基板と、
前記第１のパッドと前記第１の端子とを接続する第１の導電性材料と、を備え、
前記第１の端子法線と前記第１の基板法線とは、３０度から１５０度の範囲の第１の角度を成す、補聴器。
［項目２］
前記電気アセンブリは、前記第１の基板表面または前記第２の基板表面上に設けられる電気部品を備える、項目１に記載の補聴器。
［項目３］
前記第１の角度は、８０度から１００度の範囲にある、項目１または２に記載の補聴器。
［項目４］
前記プリント回路基板は、前記プリント回路基板の第１の縁部に第１の凹部を有し、
前記第１の凹部は、前記第１の端子の少なくとも一部を収容する、項目１から３のいずれか一項に記載の補聴器。
［項目５］
前記プリント回路基板は、縁部を含む縁を有し、
前記第１の導電性材料は、前記第１のフレックスフィルム表面の少なくとも一部を前記プリント回路基板の前記縁部に接続する、項目１から４のいずれか一項に記載の補聴器。
［項目６］
前記プリント回路基板は、前記第１の基板表面または前記第２の基板表面上の第２のパッド領域において第２のパッドを有し、
前記第２のパッド領域は、第２の基板法線を有し、
前記フレキシブルプリント回路基板は、前記フレキシブルプリント回路基板の前記第１のフレックスフィルム表面または第２のフレックスフィルム表面上の第２の端子領域において第２の端子を有し、
前記第２の端子領域は、第２の端子法線を有し、
前記電気アセンブリは、前記第２のパッドと前記第２の端子とを接続する第２の導電性材料を備え、
前記第２の端子法線と前記第２の基板法線とは、３０度から１５０度の範囲の第２の角度を成す、項目１から５のいずれか一項に記載の補聴器。
［項目７］
前記プリント回路基板は、前記プリント回路基板の第２の縁部に第２の凹部を有し、
前記第２の凹部は、前記第２の端子の少なくとも一部を収容する、項目６に記載の補聴器。
［項目８］
前記プリント回路基板は、前記第１の基板表面または前記第２の基板表面上の第３のパッド領域において第３のパッドを有し、
前記第３のパッド領域は、第３の基板法線を有し、
前記フレキシブルプリント回路基板は、前記第１のフレックスフィルム表面または前記第２のフレックスフィルム表面上の第３の端子領域において第３の端子を有し、
前記第３の端子領域は、第３の端子法線を有し、
前記電気アセンブリは、前記第３のパッドと前記第３の端子とを接続する第３の導電性材料を備え、
前記第３の端子法線と前記第３の基板法線とは、３０度から１５０度の範囲の第３の角度を成す、項目６または７に記載の補聴器。
［項目９］
前記プリント回路基板は、前記プリント回路基板の第３の縁部に第３の凹部を有し、
前記第３の凹部は、前記第３の端子の少なくとも一部を収容する、項目８に記載の補聴器。
［項目１０］
補聴器用の電気アセンブリを製造する方法であって、
前記電気アセンブリは、プリント回路基板と、フレキシブルプリント回路基板と、を備え、
前記プリント回路基板は、
第１の基板表面および第２の基板表面を有し、
前記第１の基板表面上の第１のパッド領域において第１のパッドを有し、
前記第１のパッド領域は、第１の基板法線を有し、
前記フレキシブルプリント回路基板は、
第１のフレックスフィルム表面および第２のフレックスフィルム表面を有し、
前記第１のフレックスフィルム表面上の第１の端子領域において第１の端子を有するアンテナを含み、
前記第１の端子領域は、第１の端子法線を有し、
前記方法は、
前記第１の端子法線と前記第１の基板法線とが、３０度から１５０度の範囲の第１の角度を成すように、前記プリント回路基板と前記フレキシブルプリント回路基板とを配置するステップと、
前記第１のパッドと前記第１の端子とを第１の導電性材料によって接続するステップと、
を備える、方法。
【国際調査報告】
2019504536.tif 000012
2019504536.tif 000013